(57)【特許請求の範囲】
【請求項１】
スカートに装着される装着部と、座った姿勢において前方からの視線を遮るためのブラインド部と、を備え、
前記装着部によって、前記スカートのセンター内側面に着脱可能に装着されており、
前記ブラインド部は、ミシン目を有し、所望の大きさに調整可能とされていることを特徴とする、スカートのブラインド。
【請求項２】
前記ブラインド部は、縦方向に分離したのれん状となっていることを特徴とする請求項１に記載されたスカートのブラインド。
【請求項３】
前記ブラインド部は、前部と後部の二重構造とされていることを特徴とする請求項１又は請求項２に記載されたスカートのブラインド。
【請求項４】
前記ブラインド部の後部は、交換可能とされていることを特徴とする請求項３に記載されたスカートのブラインド。
【発明の詳細な説明】
【技術分野】
【０００１】
本発明は、スカートを着用している際に、正座をしたり椅子等に座ったりしたときに、腿と腿との間にできる空間から下着等がのぞいてしまうのを防止するためのスカートのブラインドに関するものである。
【背景技術】
【０００２】
従来から、女性がおしゃれをする際に、膝上丈のミニスカートや、膝上丈の短いスカート部を有するドレスなどを着用することは多い。
【０００３】
しかし、このような丈の短いスカートを着用している際に、正座をしたり椅子等に座ったりしたときに、腿と腿との間にできる空間から下着等がのぞいてしまう、という問題があった。
【０００４】
このような問題を解決するために、例えば、特許文献１には、スカートのセンター内側面に袋状円錐型のブラインドを設け、開口部の端縁の一部に板を設け、板の中央部と内壁底部に鎖の端を吊設して外部と股間部を隠蔽するスカートのブラインドが開示されている。
【先行技術文献】
【特許文献】
【０００５】
【特許文献１】特開平１０−２５９５１２号公報
【発明の概要】
【発明が解決しようとする課題】
【０００６】
しかしながら、特許文献１に開示された従来技術は、スカートを着用する人によって、ブラインドが必ずしも適切な位置にない場合も多いし、着用途中に汗ばんだりしてもスカート自体をクリーニングするまでは対処することができないという問題があった。
【０００７】
そこで、本発明は、スカートを着用する人を選ばず、ブラインドがしっくりくる位置となり、着用途中に汗ばんだりしてもすぐに対処することができるスカートのブラインドを提供することを目的としている。
【課題を解決するための手段】
【０００８】
前記目的を達成するために、本発明のスカートのブラインドは、スカートに装着される装着部と、座った姿勢において前方からの視線を遮るためのブラインド部と、を備え、前記装着部によって、前記スカートのセンター内側面に着脱可能に装着されていることを特徴としている。
【０００９】
ここにおいて、本発明でいうスカートとは、単なるスカートだけでなく、スカート部を有するドレスやワンピースなども含む。すなわち、座った姿勢において、前方から下着が見えそうな構造の衣服であれば、本発明を適用することができる。さらに、実際には下着が見えない構造の衣服に対しても本発明を適用することができる。
【発明の効果】
【００１０】
このような本発明のスカートのブラインドは、上述した構成なので、ブラインドは、スカートのセンター内側面に、着脱可能とされているため、スカートを着用する人を選ばず、ブラインドをしっくりくる位置にすることができる。また、ブラインドを交換すれば、着用途中に汗ばんだりしても直ぐに対処することができる。さらに、立っている姿勢では外から見えず、かつ、座った姿勢では目隠しとなる。
【図面の簡単な説明】
【００１１】
【図１】実施例１のスカートのブラインドの概略構成を示す説明図である。
【図２】実施例１のスカートのブラインドを装着した状態を示す側面図である。
【図３】実施例１のスカートのブラインドを装着して座った状態を示す正面図である。
【図４】実施例２のスカートのブラインドの概略構成を示す説明図である。
【図５】実施例３のスカートのブラインドの概略構成を示す説明図である。
【図６】実施例３のスカートのブラインドの装着部の構成を説明する側面図である。
【発明を実施するための形態】
【００１２】
以下、本発明を実施するための形態を、図面に示す実施例１，２に基づいて説明する。
【実施例１】
【００１３】
まず、実施例１の構成について説明する。
【００１４】
図１は、実施例１のスカートのブラインド１の構成を示している。
【００１５】
この実施例１のスカートのブラインド１は、図１に示したように、上側の装着部１１と下側のブラインド部１２とから構成されている。
【００１６】
ここで、装着部１１は、横に細長い矩形状であり、前側面に粘着剤が塗布されており、図２に示したように、スカートＳのセンター内側面（前面の中央下寄り）に複数回は着脱可能とされている。装着部１１のスカートＳにおける装着位置は、前面の左右方向の略中央線上であり、かつ、ブラインド部１２の先端（下端）がスカートＳの端から露出しないような位置とされることが好ましい。この条件を満たせば、上下方向の装着位置は好みに応じて選択することができる。なお、後述するように、ブラインド部１２が二重に構成される場合には、装着部１１も二重（前部１２ａの装着部と後部１２ｂの装着部）に構成されて、それぞれ別個に着脱できるようにされる。
【００１７】
また、ブラインド部１２は、縦方向に複数に分離したのれん状の前部１２ａと、分離していない後部１２ｂとの二重構造とされている。前部１２ａ及び後部１２ｂともに、足を閉じて座った状態で両足の太腿とスカートＳとによって形成される略三角形状の空間に沿うように、下側が尖った三角形状乃至ベース形状とされる。
【００１８】
ブラインド部１２の縦方向に分離したのれん状の前部１２ａは、後部１２ｂを押し下げるために不織布やフェルトやヒモなどの比較的に重い素材から成り、空間に追従してフレキシブルに変形できるように複数に分離されている。前部１２ａは、どのような素材で形成してもよいが、例えばアクリル、ポリエステル、ナイロンなどの化学繊維、綿、麻などを用いることができる。前部１２ａは、布に切り込みを入れて形成することもできるし、紐状ないしロープ状に形成することもできる。
【００１９】
ブラインド部１２の後部１２ｂは、汗を吸収しやすい不織布などから成り、その前側面上端部には、粘着剤が塗布されており、装着部１１の後側面から剥がして後部１２ｂのみを交換可能とされている。後部１２ｂは、不織布であることが好ましいが、どのような素材で形成してもよい。例えば、アクリル、ポリエステル、ナイロンなどの化学繊維、綿、麻などを用いることができ、たて糸の一部をループ状に形成したタオル地なども好ましい。後部１２ｂの長さは、前部１２ａが皮膚と接触しないように、前部１２ａの長さよりも長くなっている。なお、後部１２ｂと前部１２ａの長さは、ユーザの好みに合わせて、同一とすることもできるし、前部１２ａよりも後部１２ｂを短くすることもできる。
【００２０】
なお、ブラインド部１２の前部１２ａ及び後部１２ｂは、例えば、前部１２ａを白色とし、後部１２ｂを黒色とするなどして、色の組み合わせのバリエーションを楽しめるようになっている。さらに、前部１２ａを横縞模様とし、後部１２ｂを水玉模様とすることなどもできる。すなわち、前部１２ａと後部１２ｂの色彩、模様等は、それぞれどのようなものであってもよい。
【００２１】
さらに、装着部１１の下端部とブラインド部１２の上端部との間には、線状に窪んだ折れ線が設けられており、図３に示したように、スカートＳのブラインド１を装着した人が座った際に、ブラインド部１２が自重で下方へ折れ曲がるようになっている。
【００２２】
次に、実施例１のスカートのブラインド１の作用効果について説明する。
【００２３】
このような実施例１のスカートのブラインド１は、装着部１１とブラインド部１２とから成り、スカートＳのセンター内側面に、装着部１１によって着脱可能とされた構成とされている。
【００２４】
上述した構成なので、ブラインド１は、スカートＳのセンター内側面に、着脱可能とされているため、スカートＳを着用する人を選ばず、ブラインド１を好みの位置に配置することができる。
【００２５】
また、装着部１１は複数回取り付け可能に構成されており、ブラインド１を交換することで、着用途中に汗ばんだりしても直ぐに対処することができるため、臭いがつきにくいうえに、皮膚の病気にかかり難く、衛生的である。
【００２６】
さらに、使用される全ての材料が安価であるため、ブラインド１を使い捨て用の安価なものとして大量生産することもできる。さらに、ブラインド１は、立っている姿勢では外から見えず、かつ、座った姿勢では目隠しとなる。すなわち、立っている姿勢では、ブラインド部１２はスカートＳに沿った状態であり、座った姿勢では、ブラインド部１２は折れ曲がって足と足の隙間を覆うようになる。
【００２７】
ここで、ブラインド部１２は、前部１２ａと後部１２ｂの二重構造とされている。
【００２８】
このため、後部１２ｂは、万一、前部１２ａがめくれてしまっても、股間や下着等がのぞいてしまうのを防止するフェールセーフの役目を果たす。さらに、汗取り性能もアップするので、より衛生的にすることもできる。また、前部１２ａの重みによって後部１２ｂを押し下げることができる。
【００２９】
また、ブラインド部１２の前部１２ａは、縦方向に複数に分離したのれん状となっている。
【００３０】
このため、正座をしたり、椅子等に座ったりした際、腿と腿との間にできる空間に合わせてブラインド部１２の前部１２ａをフレキシブルに変形させて、股間や下着等がのぞいてしまうのを防止することができる。さらにいえば、分離したのれん状の前部１２ａと後部１２ｂとの組み合わせによれば、前部１２ａの柔軟性（追従性）が高くなるため、いっそう後部１２ｂを押し下げやすくなる。
【００３１】
さらに、ブラインド部１２の後部１２ｂは、後部１２ｂのみを交換可能とされている。
【００３２】
このため、多量に汗をかいた際などに、容易にさっぱりとした状態に戻すことができる。加えて、いっそう衛生的である。
【実施例２】
【００３３】
次に、実施例２について説明する。
【００３４】
なお、実施例１で説明した内容と同一乃至均等な部分の説明については同一符号を付して説明する。
【００３５】
図４は、実施例２のスカートのブラインド１の概略構成を示している。実施例２のスカートのブラインド１は、実施例１と同様に、上側の装着部１１と下側のブラインド部１２とから構成されている。
【００３６】
そして、本実施例のスカートのブラインド１では、図４に示したように、斜め方向にミシン目を有し、このミシン目に沿って手で千切ったりハサミで切ったりするなどして所望の長さに調整可能とされており、ブラインド１自体の大きさも、好みの大きさとすることができるようにしたことが実施例１のスカートのブラインド１と主に異なる。これによって、着用者の身体の特徴、スカートＳの形状、及び／又は着用者の好みに合わせて、異なる形状・大きさにカットして使用しやすくなる。
【００３７】
また、図示は省略したが、縦方向にもミシン目を形成して、左右の幅も調整可能とすることができる。なお、ミシン目は、真横方向に設けられて、全体として階段状に構成することもできる。
【００３８】
さらに、このブラインド１の大きさの調整は、使用者の気分や演出希望などのために行ってもよい。
【００３９】
なお、他の構成及び作用効果については、実施例１と略同様であるので説明を省略する。
【実施例３】
【００４０】
次に、実施例３について説明する。なお、実施例１、２で説明した内容と同一乃至均等な部分の説明については同一符号を付して説明する。
【００４１】
図５，６は、実施例３のスカートのブラインド１の概略構成を示している。実施例３のスカートのブラインド１は、実施例１と同様に、上側の装着部１１と下側のブラインド部１２とから構成されている。
【００４２】
そして、本実施例のスカートのブラインド１では、図５に示したように、前部１２ａの装着部１１ａと後部１２ｂの装着部１１ｂとがずれて配置されていることが実施例１のスカートのブラインド１と主に異なる。すなわち、図６に示すように、後部１２ｂの装着部１１ｂは、スカートＳに直接に装着されるとともに、前部１２ａの装着部１１ａは、後部１２ｂに装着されてスカートＳに間接的に装着されるようになっている。より具体的にいうと、図６に示すように、前部１２ａの装着部１１ａは、後部１２ｂの装着部１１ｂの下に貼設されることで、前部１２ａが後部１２ｂと一体化されている。そして、後部１２ｂの装着部１１ｂによって、一体化された前部１２ａ及び後部１２ｂが、スカートＳに貼設されている。
【００４３】
なお、図６の前部１２ａを反転させて、前部１２ａの装着部１１ａによって前部１２ａをスカートＳに貼設することもでき、この場合は、前部１２ａと後部１２ｂとがそれぞれ別個にスカートＳに貼設されることになる。この他、前部１２ａの装着部１１ａの両面に粘着剤を塗布することで、前部１２ａをスカートＳ及び後部１２ｂの両方に貼設することもできる。さらに、後部１２ｂにおける前部１２ａの装着部１１ａに面する領域に、粘着剤をさらに塗布することもできる。
【００４４】
なお、他の構成及び作用効果については、実施例１，２と略同様であるので説明を省略する。
【００４５】
以上、図面を参照して、本発明を実施するための形態を実施例１，２に基づいて詳述してきたが、具体的な構成は、これら実施例１，２に限らず、本発明の要旨を逸脱しない程度の設計的変更は、本発明に含まれる。
【００４６】
例えば、上述した実施例１〜３では、ブラインド部１２を二重構造として実施したが、これに限定されず、単純な一重構造として実施してもよいし、三重構造以上として構成することもできる。三重構造の場合には、例えば、後部１２ｂを二重にすることなども可能である。
【００４７】
また、上述した実施例１〜３では、装着部１１に粘着剤が塗布されている場合について説明したが、これに限定されるものではない。装着部は、面ファスナーによって形成されて、一方を装着部側に取り付け、他方をスカート側に取り付けるように構成してもよい。この場合、スカートに取り付ける側は、粘着させてもよいし、縫い付けて固定することもできる。したがって、ブラインド１は、前部１２ａのみを取り外して洗濯したり、後部１２ｂのみを取り外して洗濯したりすることなども可能である。
【００４８】
さらに、上述した実施例１〜３では、ブラインド部１２に特別な成分を含有させずに実施したが、これに限定されず、オプションとして香水の香りをつけたり、蚊よけなどのために防虫成分を含有させたりして実施してもよい。
【００４９】
また、実施例１〜３では、ブラインド部１２が前部１２ａと後部１２ｂとによって構成される場合について説明したが、これに限定されるものではなく、いずれか一方だけでブラインド部を構成することもできる。すなわち、前部１２ａだけで構成してもよいし、後部１２ｂだけで構成してもよい。
【００５０】
さらに、実施例１〜３では、後部１２ｂのみを取り替えたり、前部１２ａ及び後部１２ｂの全体を取り替えたりする場合について説明したが、これに限定されるものではなく、もちろん前部１２ａのみを取り替えることもできる。
【符号の説明】
【００５１】
１      スカートのブラインド
１１    装着部
１２    ブラインド部
１２ａ  ブラインド部の前部
１２ｂ  ブラインド部の後部
Ｓ      スカート
【要約】
【課題】スカートを着用する人を選ばず、ブラインドがしっくりくる位置となり、着用途中に汗ばんだりしても直ぐに対処することができるスカートのブラインドを提供する。
【解決手段】スカートのブラインド１は、装着部１１とブラインド部１２とから成り、スカートＳのセンター内側面に、装着部１１で着脱可能とされた構成とされている。
【選択図】図１【図１】
0005995260.tif 000002
【図２】
0005995260.tif 000003
【図３】
0005995260.tif 000004
【図４】
0005995260.tif 000005
【図５】
0005995260.tif 000006
【図６】
0005995260.tif 000007